(57)【要約】      （修正有）【課題】電気掃除機のパイプ先端に装着され、ハエ、蚊、クモ、ゴキブリ、蜂、蟻等の虫それも主に害虫を吸引して捕え、処理するための捕虫用アタッチメントを提供する。【解決手段】電気掃除機のパイプ先端と連結される連結部を備えた筒状の本体を有し、その本体の先端開口は前記連結部よりも広径とするとともに、本体の内部の開口寄りには少なくとも三方向以上の放射状に構成される仕切り板を密に嵌入して備えていることとし、前記した本体の先端開口の形状は円形あるいは矩形としてあることとし、前記した本体の先端開口縁には適宜間隔をもって切り込みが複数個形成されている。【選択図】図１
0003125505.tif 000002
【実用新案登録請求の範囲】
【請求項１】
電気掃除機のパイプ先端と連結される連結部を備えた筒状の本体を有し、その本体の先端開口は前記連結部よりも広径とするとともに、本体の内部の開口寄りには少なくとも三方向以上の放射状に構成される仕切り板を密に嵌入して備えていることを特徴とする捕虫用アタッチメント。
【請求項２】
前記した本体の先端開口の形状は円形あるいは矩形としてあることを特徴とする請求項１に記載の捕虫用アタッチメント。
【請求項３】
前記した本体の先端開口縁には適宜間隔をもって切り込みが複数個形成されていることを特徴とする請求項１または請求項２に記載の捕虫用アタッチメント。
【考案の詳細な説明】
【技術分野】
【０００１】
本考案は捕虫用アタッチメント、特に電気掃除機のパイプ先端に装着され、ハエ、蚊、クモ、ゴキブリ、蜂、蟻等の虫それも主に害虫を吸引して捕え、処理するための捕虫用アタッチメントに関する。
【背景技術】
【０００２】
従来より、上記したようないわゆる害虫は室内外を問わず出現し、その対応策としては噴霧式の殺虫剤や、据え置いて侵入を待つ捕獲器具、古くからはハエ取り紙が用いられている。しかしながら、噴霧式の殺虫剤の場合、台所やリビング等にあっては飲食物にも噴きかかり、また、人も吸引することともなり、臭気も強い場合が多い。
【０００３】
そこで、従来より、電気掃除機を利用し、そのパイプ先端に虫を吸引するためアタッチメントを取り付ける考えが開陳されている。しかしながら、この従来開陳されているアタッチメントはその多くが吸引するための開口が小さく、目的とする虫に十分対応することができないことが多く、また、ラッパ状にテーパを付した形態の場合、開口は大きくなっても吸引力が弱化されて、虫を吸い込むのに十分なパワーが損なわれてしまうものとなっていた。
【特許文献１】特開２００６−１５８３３７号公報
【特許文献２】特開２００５−２３０４８０号公報
【考案の開示】
【考案が解決しようとする課題】
【０００４】
本考案が解決しようとする問題点は、従来開陳されている捕虫用アタッチメントは先端開口径が小さく目的に対応することが不十分であるか、先端開口を大きくした場合には吸引力が低下してしまうという点である。
【課題を解決するための手段】
【０００５】
上記した問題点を解決するために、本考案に係る捕虫用アタッチメントは電気掃除機のパイプ先端と連結される連結部を備えた筒状の本体を有し、その本体の先端開口は前記連結部よりも広径とするとともに、本体の内部の開口寄りには少なくとも三方向以上の放射状に構成される仕切り板を密に嵌入して備えていることを特徴とし、前記した本体の先端開口の形状は円形あるいは矩形としてあることを特徴とし、前記した本体の先端開口縁には適宜間隔をもって切り込みが複数個形成されていることを特徴としている。
【考案の効果】
【０００６】
本考案に係る捕虫用アタッチメントは上記のように構成されている。そのために、本体の先端開口径を大きくして対象となる虫への対応も良好とし、かつ、仕切り板を備えることで、エアの流通する断面積を制限し、吸引力の低下を抑えている。
【０００７】
また、本体の先端に切り込みを備えたことで、本体を壁面、ガラス面、床面等に直角に対応させても吸い付いてしまうこともなくなり、形状も円や矩形とすることで一般的な部位に加え、室内のコ−ナー等にも密に対応させることができる。
【０００８】
さらには、本体を塩化ビニール等製の長尺パイプを介して電気掃除機のパイプと連結させると、軒下や屋根、高木の枝等の高所にいる害虫にも危険を伴なうことなく対応することが可能なものとなる。
【考案を実施するための最良の形態】
【０００９】
図面として示す実施例のように構成することで実現した。
【実施例１】
【００１０】
次に、本考案の好ましい実施の例を図面を参照して説明する。図１は本考案を実施した捕虫用アタッチメントを示す斜視図、図２は同じく仕切り板の変形例を示す図、図３は同じく当接状態を示す図、図４は同じく変形したアタッチメントを示す斜視図である。
【００１１】
これらの図にあって１は捕虫用アタッチメント本体を示している。このアタッチメント本体１はプラスチック、軽量金属シート、硬性あるいは軟性のゴム等の可塑性材、あるいはボール紙等で成形された略円筒体のものとされ、そのアタッチメント本体１の一方には電気掃除機のパイプＰの先端と連結される細径の連結部２が一体に形成されている。
【００１２】
また、アタッチメント本体１の一方は連結部２に比して広径のものとされ、その開口縁には所定の間隔をおいて、切り込み、特に、本実施例では山形の切り込み３、３‥が連続して形成され、その切り込み３、３‥に挟まれる部分を壁面、床面、ガラス面等の表面Ｓと当接する突片４、４‥としてある。この当接の形態により、即ち、開口縁に切り込み３、３‥が形成されていることで、掃除機によるエアの吸引力に応じてエアが流通し、開口縁が表面Ｓに密着してしまうことを防止できる。
【００１３】
さらに、このアタッチメント本体１の内部には、本実施例では断面十字形とした、即ち、９０°ピッチで四方へ放射状とした仕切り板５が装填されている。この仕切り板５はその前端面が少なくとも開口縁の突片４、４‥よりも奥まった箇所に位置され、対象となる虫に直接触れることはないものとされている。そして、この仕切り板５の存在によってアタッチメント本体１内の断面積が小さく構成され、掃除機による吸引力の低下を防止することができるようになっている。
【００１４】
加えて、前記した仕切り板５はアタッチメント本体１の保形材としての効果も有し、アタッチメント本体１が押圧力や衝撃を受けてもつぶれたり、変形してしまうことを未然に防止する。また、実施例で示した断面十字形のほか、三方への放射状（１２０°ピッチ）や六方への放射状（６０°ピッチ）等として実施することも可能である。
【００１５】
また、仕切り板５は図２として示す５ａのように、前端面を三角状体５ｂ、５ｂに形成することもでき、かかる構成とすることで、より一層エアの流通性を良好なものとできる。即ち、その三角状体５ｂ、５ｂの壁面に沿ってエアが流体工学上流れ易くなるのである。
【００１６】
そして、このアタッチメント本体１は掃除機のパイプＰとの間に、例えば塩化ビニール等製の長尺パイプを介在させて連結することもでき、係る構成とすると軒下や屋根、高木等にいる虫にも対応することができ、特にスズメ蜂等に対しても暑苦しい防虫服を着用する必要もなく、梯子等も不要となり、虫の駆除についても危険性も大きく減少することができることとなる。
【００１７】
一方、図４として示す１ａはアタッチメント本体の変形例であり、この場合にはアタッチメント本体１ａの開口縁を矩形に形成してあり、室のコーナーや窓枠のコーナー等に密にフィットできるものとしてある。
【００１８】
また、このアタッチメント本体１、１ａは色彩も自在なものとし、場合によっても目的とする虫ごとに使い分けをすることも可能となる。特にスズメ蜂等の生命力の強い虫を吸引した後は、このアタッチメント１、１ａの開口縁から既存の殺虫剤を噴入させ、ゴミ袋等へ捨て、処理することもできる。この処理もゴミ回収に出すほか、焼却や埋設を行うことも可能となる。
【産業上の利用可能性】
【００１９】
本考案に係る捕虫用アタッチメントは上記のように構成されているので、一般家庭をはじめ、農業、畜産業、漁業、林業等々の幅広い産業分野で使用が可能となり、害虫に対し、殺虫剤の受吸や高所あるいは床下作業に伴なう危険性や汚損を一切生じることがないものとできる。
【図面の簡単な説明】
【００２０】
【図１】本考案を実施した捕虫用アタッチメントを示す斜視図である。
【図２】仕切り板の変形例を示す図である。
【図３】当接状態を示す図である。
【図４】変形したアタッチメントを示す斜視図である。
【符号の説明】
【００２１】
１    アタッチメント本体
１ａ  アタッチメント本体
２    連結部
３    切り込み
４    突片
５    仕切り板
５ａ  仕切り板
５ｂ  三角状体
Ｐ    パイプ
Ｓ    表面
【図１】
0003125505.tif 000003
【図２】
0003125505.tif 000004
【図３】
0003125505.tif 000005
【図４】
0003125505.tif 000006